(57)【要約】【課題】循環型社会の構築に向けて環境との調和に配慮した木製水路を新規に提供する。【解決手段】水路用溝３の幅方向に延在する横金具５の両側に、水路用溝３の深さ方向に延在する縦金具６が固定されてなるフレーム金具７が設けられ、このフレーム金具７は、横金具５が水路用溝３の底壁部３ａに沿って設置され、縦金具６が水路用溝３の両側壁部３ｂに沿って設置された状態で、水流方向Ｓに所定の間隔Ｐで複数個が配置されるとともに、上記縦金具６には縦スリット６ｂが形成され、水流方向Ｓに隣り合う縦金具６の縦スリット６ａに木製棒材９の両端部がそれぞれ嵌め込まれ、この木製棒材９が多段に積層されることによって、木製水路１の両側壁部１ｂが構成されるようにした。【選択図】  図１
2004270409.tif 000002
【特許請求の範囲】
【請求項１】
水路用溝の幅方向に延在する横金具の両側に、水路用溝の深さ方向に延在する縦金具が固定されてなるフレーム金具が設けられ、このフレーム金具は、横金具が水路用溝の底壁部に沿って設置され、縦金具が水路用溝の両側壁部に沿って設置された状態で、水流方向に所定の間隔で複数個が配置されるとともに、上記縦金具には縦スリットが形成され、水流方向に隣り合う縦金具の縦スリットに木製棒材の両端部がそれぞれ嵌め込まれ、この木製棒材が多段に積層されることによって、木製水路の両側壁部が構成されるようにしたことを特徴とする木製水路。
【請求項２】
上記横金具の両側が縦金具の固定部よりも幅方向に延長されて、水流方向に隣り合う横金具の延長部に、土圧を作用させるプレートが橋架されている請求項１記載の木製水路。
【請求項３】
最上段の上記木製棒材は、浮上防止金具で縦金具に止着されている請求項１または２記載の木製水路。
【請求項４】
上記横金具と縦金具はＨ形鋼である請求項１〜３のいずれか１項に記載の木製水路。
【請求項５】
上記木製棒材の外側に、砂吸い出し防止マットが設けられている請求項１〜４のいずれか１項に記載の木製水路。
【発明の詳細な説明】
【０００１】
【発明の属する技術分野】
本発明は、木製水路に関する。
【０００２】
【従来の技術】
従来、例えば農業用水路は、一般的にはコンクリート製のものであった（例えば、特許文献１参照）。
【０００３】
ところで、土地改良法第１条（平成１４年４月１日施行）によれば、「…事業は、環境との調和に配慮しつつ、国土資源の総合的な開発及び保全に資するとともに…」と定められており、このため、農業農村整備事業においては、農業生産性の向上などの目的を達成しつつ、可能な限り環境への負荷や影響を回避・低減するとともに、良好な環境を形成することが不可欠となっている。
【０００４】
【特許文献１】
特開２００１−１７２９４１号公報
【０００５】
【発明が解決しようとする課題】
しかしながら、特許文献１のようなコンクリート製水路は、必ずしも環境と調和するものではないことから、環境との調和に配慮した水路の開発が要望されつつある。
【０００６】
本発明は、上記要望に応えるためになされたもので、循環型社会の構築に向けて環境との調和に配慮した木製水路を新規に提供することを課題とするものである。
【０００７】
【課題を解決するための手段】
上記課題を解決するために、本発明は、水路用溝の幅方向に延在する横金具の両側に、水路用溝の深さ方向に延在する縦金具が固定されてなるフレーム金具が設けられ、このフレーム金具は、横金具が水路用溝の底壁部に沿って設置され、縦金具が水路用溝の両側壁部に沿って設置された状態で、水流方向に所定の間隔で複数個が配置されるとともに、上記縦金具には縦スリットが形成され、水流方向に隣り合う縦金具の縦スリットに木製棒材の両端部がそれぞれ嵌め込まれ、この木製棒材が多段に積層されることによって、木製水路の両側壁部が構成されるようにしたことを特徴とする木製水路を提供するものである。
【０００８】
請求項２のように、上記横金具の両側が縦金具の固定部よりも幅方向に延長されて、水流方向に隣り合う横金具の延長部に、土圧を作用させるプレートが橋架されている構成が好ましい。
【０００９】
請求項３のように、最上段の上記木製棒材は、浮上防止金具で縦金具に止着されている構成が好ましい。
【００１０】
請求項４のように、上記横金具と縦金具はＨ形鋼である構成が好ましい。
【００１１】
請求項５のように、上記木製棒材の外側に、砂吸い出し防止マットが設けられている構成が好ましい。
【００１２】
【発明の作用および効果】
本発明によれば、横金具と縦金具とでなるフレーム金具を水流方向に所定の間隔で複数個を配置するとともに、水流方向に隣り合う縦金具の縦スリットに木製棒材の両端部をそれぞれ嵌め込んで、この木製棒材を多段で積層することにより、木製水路の両側壁部を構成するようにしたから、両側壁部が木製となるので、コンクリート製と比べて、景観に優れるとともに、木製棒材自体および木製棒材を積層した隙間が動植物の生息空間となって、環境との調和に配慮した水路となる。
【００１３】
また、基本的には、地面に水路用溝を掘削し、この水路用溝にフレーム金具を配置し、このフレーム金具に木製棒材を嵌め込むことで、木製水路を施工することができる。したがって、フレーム金具は工場で組み立てることができ（現場での組み立ても可）、水路用コンクリート製ブロックよりも軽量でコンパクトであるから、工場から現場への搬送や現場での配置が簡単で、施工費の低減や施工期間の短縮が図れるようになる。さらに、木製棒材は軽量であるので現場での嵌め込みが簡単になるとともに、間伐材を利用すればより安価である。
【００１４】
さらにまた、木製棒材は、縦金具の縦スリットに上から順に嵌め込むようにしているので、この点からも嵌め込み施工が簡単に行えるとともに、腐食や折損のときの交換も容易に行える。
【００１５】
一方、横金具の延長部に土圧を作用させるプレートを橋架すると（請求項２）、木製棒材の浮力により、木製棒材とともにフレーム金具が浮き上がるのを確実に防止できるようになる。
【００１６】
また、最上段の木製棒材を浮上防止金具で縦金具に止着すると（請求項３）、積層された木製棒材が浮力で縦金具の縦スリットから抜け出るのを確実に防止できるようなる。
【００１７】
さらに、横金具と縦金具をＨ形鋼で形成すると（請求項４）、Ｈ形鋼は既製品であるので、フレーム金具を安価に組み立てることができる。
【００１８】
さらにまた、木製棒材の外側に、砂吸い出し防止マットを設けると、水路用溝の両側壁部の砂が木製水路内に流入するのを未然に防止できるようになる。
【００１９】
【発明の実施の形態】
以下、本発明の実施の形態を図面を参照して詳細に説明する。図１は木製水路１の斜視図、図２は正面図、図３は平面図、図４は側面図である。
【００２０】
図１および図２に示すように、地面２に水路用溝３が掘削されている。この水路用溝３の幅Ｗ２は、木製水路１の幅Ｗ１よりも広く、深さＤ２は、木製水路１の深さＤ１よりも深く設定されている。
【００２１】
上記木製水路１の幅方向に延在するＨ形鋼製の横金具５が設けられ、この横金具５は、上記水路用溝３の幅Ｗ２と略同じ長さに設定されて、ツバ部５ａが上下位置となるように水路用溝３の底壁部３ａに沿って設置されるようになる。
【００２２】
上記木製水路１の深さ方向に延在するＨ形鋼製の縦金具６が左右一対で設けられ、この縦金具６は、上記木製水路１の深さＤ２と略同じ長さに設定されて、ツバ部６ａが左右位置となるように水路用溝３の両側壁部３ｂに沿って設置されるようになる。
【００２３】
上記左右一対の縦金具６の各下端部は、横金具５の上側のツバ部５ａの両側に溶接等で固定されて、略Ｕ形状のフレーム金具７として構成されるようになる。なお、この溶接等による固定作業は、工場であっても現場であっても良い。
【００２４】
上記横金具５に対する各縦金具６の固定位置は、横金具５の両端部よりも僅かに内側に設定され、実質的に横金具５の両側が各縦金具６の固定部よりも幅方向に延長されたようになって、横金具５の両側に延長部５ｂが形成されるようになる。
【００２５】
上記フレーム金具７は、横金具５が水路用溝３の底壁部３ａに沿って設置され、縦金具６が水路用溝３の両側壁部３ｂに沿って設置された状態で、水流方向Ｓに所定の間隔Ｐで複数個（図１では６個だけ例示している。）が配置されるようになる。
【００２６】
上記フレーム金具７の配置間隔Ｐと略同じ長さの細幅状プレート８が設けられ、このプレート８は、水流方向Ｓに隣り合う横金具５の両側の延長部５ｂにそれぞれ橋架されている〔図５（ｂ）参照〕。このプレート８は、両端部を延長部５ｂに乗せるだけでも良いが、溶接等で固定しても良い。
【００２７】
上記フレーム金具７の縦金具６は、ツバ部６ａが左右位置となるように設置しているから、水流方向Ｓの上流側と下流側に向かって開口する縦スリット６ｂがそれぞれ形成されるようになる。
【００２８】
そして、水流方向Ｓの隣り合う縦金具６の縦スリット６ｂには、上端の開口部６ｃから木製棒材９の両端部がそれぞれ嵌め込まれて、複数本（図１の例では１０本）の木製棒材９が多段で積層されることによって、木製水路１の両側壁部１ｂが構成されるようになる。
【００２９】
この木製棒材９は、間伐材などの丸太が好ましいが、角材や板材に加工したもの、これらの組み合わせであっても差し支えはない。
【００３０】
上記縦金具６の縦スリット６ｂに嵌め込まれた木製棒材９の内、最上段の木製棒材９は、縦金具６の内側のツバ部６ａを貫通する釘（浮上防止金具）１１が打ち込まれて止着されている〔図５（ａ）参照〕。
【００３１】
上記木製棒材９の外側には、木製棒材９と同様に、縦金具６の縦スリット６ｂに嵌め込んだネット状の砂吸い出し防止マット１０が設けられている。
【００３２】
この状態で、水路用溝３の両側壁部３ｂと砂吸い出し防止用マット１０との間の隙間Ｒ１には、埋め戻した土砂が充填されるようになる。また、水路用溝３の底壁部３ａと横金具５の上側のツバ部５ａとの間の隙間Ｒ２には、埋め戻した土砂が充填されるようになる。なお、この埋め戻した土砂の上面で木製水路１の底壁部１ａが構成されるようになる。
【００３３】
上記のような木製水路１であれば、横金具５と縦金具６とでなるフレーム金具７を水流方向Ｓに所定の間隔Ｐで複数個を配置して、水流方向Ｓに隣り合う縦金具６の縦スリット６ｂに木製棒材９の両端部をそれぞれ嵌め込んで、この木製棒材９を多段で積層することにより、木製水路１の両側壁部１ｂを構成するようになる。
【００３４】
したがって、木製水路１は、両側壁部１ｂが木製となるので、コンクリート製と比べて、景観に優れるとともに、木製棒材９自体および木製棒材９を積層した隙間が動植物の生息空間となって、環境との調和に配慮した水路となる。
【００３５】
また、基本的には、地面２に水路用溝３を掘削し、この水路用溝３にフレーム金具７を配置し、このフレーム金具７に木製棒材９を嵌め込むことで、木製水路１を施工することができる。
【００３６】
したがって、フレーム金具７は、水路用コンクリート製ブロックよりも軽量でコンパクトであるから、工場から現場への搬送や現場での配置が簡単で、施工費の低減や施工期間の短縮が図れるようになる。
【００３７】
さらに、木製棒材９は軽量であるので現場での嵌め込みが簡単になるとともに、間伐材を利用すればより安価である。
【００３８】
さらにまた、複数本の木製棒材９は、縦金具６の縦スリット６ｂに上から順に嵌め込むようにしているので、この点からも嵌め込み施工が簡単に行えるとともに、腐食や折損のときの交換も容易に行える。
【００３９】
また、横金具５の延長部５ｂに橋架したプレート８には、埋め戻した土砂の土圧が作用するから、木製棒材９の浮力により、木製棒材９とともにフレーム金具７が浮き上がるのを確実に防止できるようになる。
【００４０】
さらに、最上段の木製棒材９を釘１１で縦金具６に止着しているから、積層された木製棒材９が浮力で縦金具６の縦スリット６ｂから抜け出るのを確実に防止できるようなる。
【００４１】
さらにまた、横金具５と縦金具６とをＨ形鋼で形成しているから、Ｈ形鋼は既製品であるので、フレーム金具７を安価に組み立てることができる。
【００４２】
また、木製棒材９の外側に、砂吸い出し防止マット１０を設けているから、水路用溝３の両側壁部３ｂの砂が木製水路１内に流入するのを未然に防止できるようになる。
【図面の簡単な説明】
【図１】木製水路の斜視図である。
【図２】木製水路の正面図である。
【図３】図２の平面図である。
【図４】図２の側面図である
【図５】（ａ）（ｂ）は、それぞれ木製水路の要部拡大図である。
【符号の説明】
１      木製水路
１ａ    底壁部
１ｂ    側壁部
３      水路用溝
３ａ    底壁部
３ｂ    側壁部
５      横金具
５ｂ    延長部
６      縦金具
６ｂ    縦スリット
７      フレーム金具
８      プレート
９      木製棒材
１０    砂吸い出し防止マット
１１    釘（浮上防止金具）
Ｐ      間隔
Ｓ      水流方向
【図１】
2004270409.tif 000003
【図２】
2004270409.tif 000004
【図３】
2004270409.tif 000005
【図４】
2004270409.tif 000006
【図５】
2004270409.tif 000007